(57)【特許請求の範囲】
【請求項１】
減速時燃料カットを行っているときに、排気通路に設けた排気絞り弁を閉じ、該排気絞り弁よりも上流側の排気通路の圧力を高め、該高められた圧力をエネルギとして回収するエネルギ回収装置であって、
該排気絞り弁よりも上流側の該排気通路の圧力を高めるとき、該排気通路の圧力上昇を促進させる圧力上昇促進手段を備え、
前記圧力上昇促進手段は、吸排気バルブの少なくとも一方のバルブタイミングを可変とする可変動弁機構を備え、吸入空気量が多くなるように該吸排気バルブの少なくとも一方のバルブタイミングを変え、オーバーラップ量を零あるいは負に制御することを特徴とするエネルギ回収装置。
【請求項２】
前記圧力上昇促進手段は、吸排気バルブの少なくとも一方のリフト量を可変とする可変動弁機構を備え、吸入空気量が多くなるように該吸排気バルブの少なくとも一方のリフト量を変えることを特徴とする請求項１に記載のエネルギ回収装置。
【請求項３】
前記圧力上昇促進手段は、前記吸気バルブの閉弁時期を、エネルギ回収をしていないときの閉弁時期よりも早くすることを特徴とする請求項１または２に記載のエネルギ回収装置。
【請求項４】
前記圧力上昇促進手段は、前記吸気バルブを下死点付近で閉じることを特徴とする請求項３に記載のエネルギ回収装置。
【請求項５】
前記圧力上昇促進手段は、吸気スロットルバルブ開閉制御手段をさらに備え、吸気スロットルバルブの開度を、エネルギ回収を行っていない場合の開度よりも大きくすることを特徴とする請求項１から４のいずれかに記載のエネルギ回収装置。
【請求項６】
前記圧力上昇促進手段は、エンジンの幾何学的圧縮比を変更可能な可変圧縮比機構を備え、エネルギ回収をしていないときの幾何学的圧縮比よりも、幾何学的圧縮比を高くすることを特徴とする請求項１から５のいずれかに記載のエネルギ回収装置。
【発明の詳細な説明】
【技術分野】
【０００１】
本発明は、エンジンの排気通路の一部の圧力を高めて、その高められた圧力をエネルギとして回収するエネルギ回収装置に関する。
【背景技術】
【０００２】
特許文献１には、エンジンの排気通路に排気絞り弁を配置すると共に、この排気絞り弁が配置されている箇所よりも上流側の排気通路の部分に連通するように高圧ガスタンクを設置し、排気絞り弁の開度を絞ることで、排気絞り弁よりも上流側の排気ガスの圧力を昇圧し、その昇圧した排気ガスを高圧ガスタンクに蓄圧保持することが開示されている。
【０００３】
【特許文献１】特開２００２−１４７２１７号公報
【発明の開示】
【発明が解決しようとする課題】
【０００４】
特許文献１に記載のものでは、排気絞り弁を閉めるだけで、排気絞り弁よりも上流側の圧力を高めるようにしている。このようにして排気絞り弁よりも上流側の圧力が効率よく高められるのは、加速運転をしているときなどであって、減速時であって燃料カットが生じる運転状態では、効率よくその圧力を高めることができない場合がある。
【０００５】
そこで、本発明は、減速時であって、燃料カットが生じているときに、排気絞り弁よりも上流側の圧力をより効率よく高めることを可能にするエネルギ回収装置を提供することを目的とする。
【課題を解決するための手段】
【０００６】
上記課題を解決するために、本発明によるエネルギ回収装置は、減速時燃料カットを行っているときに、排気通路に設けた排気絞り弁を閉じ、該排気絞り弁よりも上流側の排気通路の圧力を高め、該高められた圧力をエネルギとして回収するエネルギ回収装置であって、該排気絞り弁よりも上流側の該排気通路の圧力を高めるとき、該排気通路の圧力上昇を促進させる圧力上昇促進手段を備えることを特徴とする。
【０００７】
上記圧力上昇促進手段により、排気絞り弁よりも上流側の排気通路の圧力を高めるとき、排気通路の圧力上昇が促進されるので、減速時に燃料カットを行っているときでも、より効率よくその排気通路の圧力を高めることが可能になる。
【０００８】
そして、前記圧力上昇促進手段は、吸排気バルブの少なくとも一方のバルブタイミングを可変とする可変動弁機構を備え、吸入空気量が多くなるように該吸排気バルブの少なくとも一方のバルブタイミングを変えると好ましい。これにより、エネルギ回収をするとき吸入空気量が多くなり、排気通路に至る流体を多くすることが可能になる。したがって、排気通路の圧力上昇が促進される。
【０００９】
また、前記圧力上昇促進手段は、吸排気バルブの少なくとも一方のリフト量を可変とする可変動弁機構を備え、吸入空気量が多くなるように該吸排気バルブの少なくとも一方のリフト量を変えると好ましい。これにより、エネルギ回収をするとき吸入空気量が多くなり、排気通路に至る流体を多くすることが可能になる。したがって、排気通路の圧力上昇が促進される。
【００１０】
さらに、前記圧力上昇促進手段は、オーバーラップ量を零あるいは負に制御すると好ましい。これにより、オーバーラップ量が零以下になるので、排気通路の流体の圧力により、排気通路の流体が吸気通路側に押し出されて、逆流することが防止される。したがって、一旦、排気通路に至った流体が排気通路から排除されることがなくなり、そこに吸気通路側からの流体が新たに加えられるので、排気通路の圧力上昇が促進される。また、オーバーラップ量を負にすることで、吸気行程初期の筒内に負圧を形成することが可能になり、その後その負圧により吸気通路の空気が勢いづけられ得る。これにより、吸気通路の空気を筒内により多く吸入することが可能になる。
【００１１】
また、前記圧力上昇促進手段は、前記吸気バルブの閉弁時期を、エネルギ回収をしていないときの閉弁時期よりも早くすると好ましい。これにより、一旦筒内に至った空気が吸気通路側に押し出されるのを低減することが可能になる。
【００１２】
特に、前記圧力上昇促進手段は、前記吸気バルブを下死点付近で閉じると好ましい。この結果、一旦筒内に至った空気が、ピストンの上昇により吸気通路側に押し出されることが防止される。
【００１３】
さらに、前記圧力上昇促進手段は、吸気スロットルバルブ開閉制御手段をさらに備え、吸気スロットルバルブの開度を、エネルギ回収を行っていない場合の開度よりも大きくすると良い。これにより、エネルギ回収に際して吸気スロットルバルブの開度が大きくされるので、より確実に空気を筒内に取り込むことが可能になる。
【００１４】
あるいは、前記圧力上昇促進手段は、エンジンの幾何学的圧縮比を変更可能な可変圧縮比機構を備え、エネルギ回収をしていないときの幾何学的圧縮比よりも、幾何学的圧縮比を高くすると好ましい。これにより、排気通路に空気をより高圧で送出することが可能になり、ひいては排気通路の圧力上昇を促進可能になる。
【発明を実施するための最良の形態】
【００１５】
本発明によるエネルギ回収装置の実施形態について、図面を参照しながら詳細に説明する。
【００１６】
まず、本発明によるエネルギ回収装置の第一実施形態について、以下に説明する。本第一実施形態におけるエンジンシステムの概念を図１に示す。本第一実施形態におけるエンジン１０は、燃料であるガソリンを燃料噴射弁１２から燃焼室１４内に直接噴射し、点火プラグ１６によって着火させる筒内噴射型式のものである。
【００１７】
燃焼室１４にそれぞれ臨む吸気ポート１８および排気ポート２０が形成されたシリンダヘッド２２には、吸気バルブ２４および排気バルブ２６を駆動する動弁機構２８と、燃焼室１４内の混合気を着火させる前述の点火プラグ１６とが組み込まれ、さらにこの点火プラグ１６に火花を発生させるイグナイタ３０が搭載されている。
【００１８】
動弁機構２８は、吸気バルブ２４および排気バルブ２６の作用角（作動角）の位相およびリフト量を自由に可変、すなわちそれらのバルブタイミングを自由に可変とすると共に、それらのリフト量を自由に可変とする可変動弁機構である。図示しないが、動弁機構２８は、電磁コイルの電磁力により吸気バルブ２４および排気バルブ２６を動かすものであり、それら吸排気バルブ２４、２６は電磁駆動弁とされている。それ故、吸気バルブ２４および排気バルブ２６の各電磁コイルの、制御される通電駆動による電磁力により、それらの作用角の位相やリフト量は自由に変えられる。
【００１９】
吸気ポート１８に連通するようにシリンダヘッド２２に連結されて吸気ポート１８と共に吸気通路３２を区画形成する吸気管３４の上流端側には、大気中に含まれる塵埃などを除去して吸気通路３２に導くためのエアクリーナ３６が設けられている。このエアクリーナ３６よりも下流側に位置すると共に、サージタンク３８よりも上流側に位置する吸気管３４の部分には、運転者によって操作されるアクセルペダル４０の踏み込み量に基づき、スロットルアクチュエータ４２によって開度が調整される吸気絞り弁、すなわち電子制御式の吸気スロットルバルブ（以下、「スロットルバルブ」と称する。）４４が組み込まれている。ただし、アクセルペダル４０の踏み込み動作と、スロットルバルブ４４の開閉動作とを切り離して電子的に制御できるようにしている。
【００２０】
排気ポート２０に連通するようにシリンダヘッド２２に連結されて排気ポート２０と共に排気通路４６を区画形成する排気管４８の途中には、排気通路４６の閉塞を可能にする排気絞り弁５０が配置されている。排気絞り弁５０は、排気ガスの流れの向きに可動である傘状の弁体５０ａが環状の弁座５０ｂに直角方向に移動するポペット式バルブである。それ故、弁体５０ａが弁座５０ｂに着座することにより、排気絞り弁５０の閉弁時において排気通路４６の優れた閉塞性が確保される。排気絞り弁５０の弁体５０ａは、空圧式のアクチュエータ５２によって作動され、弁座５０ｂに着座する閉位置と、弁座５０ｂに所定の間隔を開けて保持される開位置とを有する。排気絞り弁５０よりも上流側の排気通路４６の部分には、制御弁５４を有し、回収管５６により区画形成される回収通路５７が連通され、この回収通路５７を介して蓄圧タンク５８が接続されている。なお、蓄圧タンク５８には、回収管５６とは別に、蓄圧タンク５８内の圧力を利用可能にするために、制御弁６０を有する放出管６２が接続されている。
【００２１】
エンジン１０は、各種値を検出してこれを電子制御装置（以下、ＥＣＵと称する。）６４に出力する各種センサ類を備えている。具体的には、吸気管３４内の空気の圧力、すなわち吸気圧を検出する吸気圧センサ６６を備えている。また運転者によって操作されるアクセルペダル４０の踏み込み量に対応する位置を検出するアクセルポジションセンサ６８を備えている。また、スロットルバルブ４４の開度を検出するスロットルポジションセンサ６９を備えている。また、ピストン７０が往復動するシリンダブロック７２には、連接棒７４を介してピストン７０が連結されるクランク軸７６のクランク回転信号を検出するクランクポジションセンサ７８が取り付けられている。本第一実施形態においては、このクランクポジションセンサ７８をエンジン回転数センサとしても利用している。さらに、排気絞り弁５０よりも上流側の排気管４８内の排気ガスあるいは空気である流体の圧力を検出する圧力センサ８０を備えている。また、蓄圧タンク５８内の圧力を検出する圧力センサ８２も備えられている。さらには、ブレーキペダル８４の踏み込みに基づく信号を出力するストップランプスイッチ８６を備えている。さらに、車速を検出する車速センサ８８も備えられている。
【００２２】
ＥＣＵ６４は、ＣＰＵ、ＲＯＭ、ＲＡＭ、Ａ／Ｄ変換器、入力インタフェース、出力インタフェース等を含むマイクロコンピュータで構成されている。入力インタフェースには、上記各種センサ類などが電気的に接続されている。これらの各種センサ類などからの検出信号に基づき、予め設定されたプログラムにしたがって円滑なエンジン１０の運転がなされるように、ＥＣＵ６４は出力インタフェースから電気的に信号を出力して、燃料噴射弁１２、動弁機構２８、イグナイタ３０、スロットルアクチュエータ４２、アクチュエータ５２、制御弁５４、制御弁６０などの作動を制御するようになっている。
【００２３】
エンジン１０では、通常の運転時、吸気圧センサ６６からの出力値に基づく吸気圧や、クランクポジションセンサ７８からの出力値に基づくエンジン回転数など、すなわちエンジン負荷およびエンジン回転数で表される運転状態に基づいて燃料噴射量、燃料噴射時期、点火時期等が設定される。その際、アクセルポジションセンサ６８からの出力値に基づくアクセルペダル４０の踏み込み量などに応じてそれらの補正がなされ、これらの補正された燃料噴射量、燃料噴射時期、点火時期に基づいて、燃料噴射弁１２や点火プラグ１６などが制御される。
【００２４】
なお、エンジン１０では、クランクポジションセンサ７８により検出される値を用いて導かれるエンジン回転数が所定回転数（以下、「燃料カット回転数」と称する。）以上であり、且つアクセルポジションセンサ６８により検出されるアクセルペダル４０の踏み込み量が「０」、すなわちアクセルペダル４０が踏み込まれていないときに、燃料噴射弁１２からの燃料噴射が停止（以下、「燃料カット」と称する。）されるように設定されている。ただし、このような燃料カットの状態が続いて、エンジン回転数が低下して別の所定回転数（以下、「燃料カット復帰回転数」と称する。）に達すると、燃料噴射は再開される。なお、燃料カットが行われているときは、概ね減速時に対応する。
【００２５】
また、エンジン１０では、通常の運転時においてそのエンジン回転数が高いとき、吸気バルブ２４と排気バルブ２６とのオーバーラップ量が所定量生じるように、ＥＣＵ６４により、動弁機構２８が制御されている。これにより、空気を効果的に燃焼室１４内に導くことにしている。一方、通常の運転時であって、エンジン回転数が低いときは、排気通路４６から燃焼室１４内に排気ガスが逆流して燃焼が不安定になるのを防止すべく、エンジン回転数が高いときに比してオーバーラップ量が少なくなるように、あるいはオーバーラップが生じないように動弁機構２８が制御される。このように吸排気バルブ２４、２６が制御されるのは、予めＲＯＭに記憶されている通常の運転時のためのバルブタイミング（以下、「通常バルブタイミング」と称する。）が設定されているからである。
【００２６】
本第一実施形態では、この通常バルブタイミングに対して、後述するエネルギ回収を行っているときのバルブタイミング（以下、「回収バルブタイミング」と称する。）がある。エネルギ回収を行うときには、通常バルブタイミングに代えて、同じくＲＯＭに記憶されている回収バルブタイミングが設定されて、吸排気バルブ２４、２６のバルブタイミングが規定されて、動弁機構２８の制御が行われる。後述するように、回収バルブタイミングとは、燃焼室１４、すなわち筒内への吸入空気量を多くするのを可能にするバルブタイミングである。これは、エネルギ回収を行うとき、すなわち燃料カットをしているときに用いられるバルブタイミングなので、燃焼を考慮する必要がなく、特に望ましくは、可能な限り多くの空気を取り込むようなバルブタイミングである。換言すると、実圧縮比を大きくするバルブタイミングである。なお、実圧縮比 とは、見かけ上の幾何学的圧縮比にその体積効率を乗じたものであり、吸入空気量が多くなることは、実圧縮比が高くなることに相当する。
【００２７】
ところで、エンジン１０において、排気通路４６を流れる排気ガスは、通常の運転時、排気絞り弁５０が全開にされていて、最終的には大気に放出されている。これに対して、減速時であって燃料カットがされている上記状態のとき、排気通路４６を流れる流体を有効に活用することでエネルギが取り出されて、それが回収されるように設定されている。以下にそのエネルギの回収について詳細に説明する。なお、後述するように、排気通路４６に燃料カットによる新気を流しつつ（ただし、一部排気ガスが混ざり得る。）、それら排気通路４６に至った流体をせき止めてそれら流体の圧力を高めて、エネルギとして圧力を回収することにしているが、そのような排気通路４６の流体の圧力をより効率よく高めるべく、圧力上昇促進手段が設けられている。本第一実施形態では、吸気バルブ２４、動弁機構２８、スロットルアクチュエータ４２、スロットルバルブ４４、ＥＣＵ６４などが圧力上昇促進手段の一部を構成している。
【００２８】
以下に、本第一実施形態の圧力上昇促進手段を含めて、本第一実施形態のエネルギの回収について、図２の制御フローチャートに基づいて詳細に説明する。なお、図２の制御フローチャートは、およそ２０ｍｓ毎に繰り返されるものである。
【００２９】
まず、ＥＣＵ６４は、ステップＳ２０１において、減速時か否かを判定する。具体的には、減速条件でブレーキペダル８４の踏み込み量が「１」であるか否か、すなわちストップランプスイッチ８６がＯＮになっているか否かで判定される。ここで、減速時であると判断されると、ステップＳ２０３へ進む。なお、このステップＳ２０１で否定されると、ステップＳ２１７以下へ進むが、これに関しては後述する。
【００３０】
そして、ステップＳ２０３では、燃料カット中か否かが判定される。「燃料カット中」ということは、上述の如く、アクセルペダルの踏み込み量が「０」であり、走行中でかつエンジン回転数が燃料カット回転数以上のときに対応している。具体的には、燃料カット中か否かは、燃料噴射量が「０」とされているか否かで判定される。なお、通常の運転時では、エンジン１０により所定出力を生み出すべく、「０」より大きな燃料噴射量が上述の如く導かれて燃料噴射が行われているので、ステップＳ２０３において否定されて、ステップＳ２１７以下へ進むが、これに関しては後述する。
【００３１】
ステップＳ２０１およびステップＳ２０３で共に肯定されると、ステップＳ２０５へ進み、通常開度マップを検索することで規定されていた所定開度、ここでは全閉にされているスロットルバルブ４４が、それよりも大きな所定開度に開かれるように、回収開度がまず設定される。このスロットルバルブ４４の回収開度は、所定開度であって、スロットルバルブ４４を全閉と全開との間の一定の開度（全開も含む。）に規定する規定値である。そして、この回収開度になるようにスロットルアクチュエータ４２へ作動信号が出力されることになる。それに伴い、ステップＳ２０７で、排気絞り弁５０が全閉にまで閉じられる。具体的には、排気絞り弁５０が閉じられるように、アクチュエータ５２へ作動信号が出力される。次いで、ステップＳ２０９では、上記回収バルブタイミングが設定される。なお、回収バルブタイミングが設定されているときには、吸排気バルブ２４、２６に対してこの回収バルブタイミングを実行するべく、ＥＣＵ６４は動弁機構２８を制御する。なお、回収バルブタイミングは、好ましくは、その時々のエンジン回転数に基づいて変化する。
【００３２】
ここで、本第一実施形態の回収バルブタイミングを、図３のバルブタイミングダイヤグラムに基づいて説明する。図３（ａ）は、エンジン回転が低速回転のときのバルブタイミングを表していて、図３（ｂ）は、エンジン回転が高速回転のときのバルブタイミングを表している。なお、エンジン回転が、高速回転か低速回転かの閾値は、例えば４０００ｒｐｍである。
【００３３】
図３（ａ）のエンジン回転が低速回転のときのバルブタイミングは、排気バルブ２６が下死点前４５°（４５°ＢＢＤＣ）で開き、上死点後３°（３°ＡＴＤＣ）で閉じ、吸気バルブ２４が上死点後９０°（９０°ＡＴＤＣ）で開き、下死点後３０°（３０°ＡＢＤＣ）で閉じるバルブタイミングである。すなわち、エネルギ回収をしていないときの通常バルブタイミングの開弁時期よりも吸気バルブ２４の開弁時期が遅くなるように、排気バルブ２６が閉弁してから、ある程度の期間経過後に吸気バルブ２４が開弁されるので、いわゆる吸排気バルブ２４、２６間のオーバーラップは生じず、「負」のオーバーラップが生じる。それ故、吸気行程初期では、排気バルブ２６も吸気バルブ２４も閉じられた状態でピストン７０が下降するので、筒内の負圧が上昇する。その後、吸気行程後期では、吸気バルブ２４が開かれるので、その負圧の影響を受けて空気が勢い良く筒内に至ることになる。一方、その負圧に伴う振動波が吸気通路３２の空気に生じる。すなわち吸気脈動が生じる。そして、その振動波は、大気開放端で反射されて、正弦波であるその振動波が気筒内に到達するタイミングで、上記吸気バルブ２４が閉弁されるべく、吸気バルブ２４の閉弁時期が設定されている。それ故、いわゆる慣性効果により、過給が実現できる。このようにして、より多くの空気を筒内に取り込むことが可能になる。したがって、より多くの流体を排気通路４６に送ることが可能になる。なお、図３に示した吸気バルブ２４の遅開きのこの開弁時期、およびその閉弁時期は、上述の如く吸気バルブ２４の閉弁時期と、吸気脈動の正弦波の到達時期との同期を図るために設定されているので、吸気管長、気筒容積、気筒形状等により独自のタイミングが設定されるのが望ましい。
【００３４】
一方、図３（ｂ）のエンジン回転が高速回転のときのバルブタイミングは、排気バルブ２６が下死点前４５°（４５°ＢＢＤＣ）で開き、上死点後３°（３°ＡＴＤＣ）で閉じ、吸気バルブ２４が上死点前１０°（１０°ＢＴＤＣ）で開き、下死点後４０°（４０°ＡＢＤＣ）で閉じるバルブタイミングである。すなわち、正のオーバーラップが生じるように、規定されている。これにより、吸気通路３２の空気が排出される流体に引っ張られて、素早く筒内の流体が入れ替えられると共に、より早い流速で空気が筒内に吸入されることとなり、より多くの空気を筒内に取り込み、排気通路４６に送ることが可能になる。
【００３５】
このように、減速時であって、燃料カット中であると判断されると、スロットルバルブ４４の開度が大きくなる方向に制御され、排気絞り弁５０が閉じられ、且つ回収バルブタイミングが設定されて動弁機構２８が制御されるので、吸気通路３２からの十分な空気が燃焼室１４へ流れ込み、その流れ込んだ空気がそのままピストン７０の上下動で排気通路４６に押し流されて、排気絞り弁５０でそれがせき止められることになり、排気絞り弁５０よりも上流側の排気通路４６の圧力が上昇することになる。特に本第一実施形態では、排気通路４６の圧力を高めるこのようなときに、上述の如く回収バルブタイミングが設定されて、吸排気バルブ２４、２６が作動されるので、より多くの空気が筒内に吸入される。したがって、排気通路４６に、より多くの空気が流されて排気通路４６の圧力上昇が促進される。その結果、燃料カットをしている時間が短いがゆえに、エネルギ回収に割くことが出来る時間がわずかの場合にも、短時間で排気絞り弁５０よりも上流側の排気通路４６の圧力を十分に高めることが可能になる。ただし、燃料噴射量が「０」であるので、排気通路４６に至る流体は、排気絞り弁５０を閉じた当初は排気ガスである可能性もあるが、概ね空気、すなわち新気である。なお、これは新気のみであることが望ましい。
【００３６】
ここで、排気通路４６の圧力が高くなっていくと、排気絞り弁５０よりも上流側の排気通路４６の圧力が上昇して、蓄圧タンク５８内の圧力を超えるようになり、エネルギとしての圧力が回収可能になる。そこで、この圧力の回収が可能であるかの判定を行うべく、ステップＳ２１１で、排気絞り弁５０よりも上流側の排気通路４６の圧力が蓄圧タンク５８内の圧力（図２における「タンク内圧」）以上であるか否かが判定される。そして、排気絞り弁５０を閉じた当初などは排気通路４６のその部分の圧力が蓄圧タンク５８内の圧力よりも低い場合があり、この場合には否定されて、ステップＳ２１３へ進み、制御弁５４が閉じたままにされる。一方、排気通路４６のその部分の圧力が蓄圧タンク５８内の圧力以上の圧力に至るとステップＳ２１１で肯定されて、ステップＳ２１５へ進み、制御弁５４が開かれることになる。これにより、排気絞り弁５０よりも上流側の排気通路４６の高められた圧力により、排気通路４６のその部分の流体が回収通路５７を介して蓄圧タンク５８内へ流れることになり、その排気通路４６の圧力が高まるにつれて、蓄圧タンク５８内の圧力が高まることになる。すなわち、これにより蓄圧タンク５８内の圧力が上昇して、蓄圧タンク５８へエネルギとしての圧力が回収されることになる。
【００３７】
これは、本第一実施形態では、基本的には、上記ステップＳ２０１やステップＳ２０３で否定されるまで、継続して行われる。
【００３８】
なお、上記ステップＳ２０１で減速時でない、あるいはステップＳ２０３で燃料カット中でないとして、否定されると、上記の如く、共にステップＳ２１７へ進み、エネルギ回収を行わないときである通常の運転時のための制御、あるいはエネルギ回収を終了するための制御がなされる。まず、ステップＳ２１７で制御弁５４が閉じられ、ステップＳ２１９で上記通常バルブタイミングが設定されて、これに基づいて吸排気バルブ２４、２６が作動される。また、ステップＳ２２１で、排気絞り弁５０が開かれる。すなわち、排気絞り弁５０が開かれるように、アクチュエータ５２へ作動信号が出力されることになる。さらに、ステップＳ２２３で、スロットルバルブ４４の開度調整用に通常開度マップが設定される。これによりアクセルペダル４０の踏み込み量およびエンジン回転数に基づいて通常開度マップを検索することでスロットルバルブ４４の開度が規定され、この開度になるようにスロットルアクチュエータ４２へ作動信号が出力されることになる。
【００３９】
本第一実施形態では上記のように、エネルギの回収に際しては、回収バルブタイミングが設定されて、筒内により多くの空気を吸入することが行われる。これは、排気絞り弁５０を閉じることやスロットルバルブ４４の開度を回収開度にすることと共に行われるので、エネルギ回収を行う、燃料カットを伴う減速運転をしているときであっても、排気絞り弁５０よりも上流側の排気通路４６の圧力を迅速に高めて、効率よくエネルギ回収を行うことが可能になる。
【００４０】
以上、本発明を上記第一実施形態に基づいて説明してきたが、本発明はこれに限定されない。例えば、上記制御フローチャートにおいて、ステップＳ２０５、Ｓ２０７、Ｓ２０９の順番は、相互に入れ替えられても良い。また、ステップＳ２１７、Ｓ２１９、Ｓ２２１、Ｓ２２３の順番は、相互に入れ替えられても良い。また、上記ステップＳ２０１の前に別のステップを設けて、そのステップで、蓄圧タンク５８内の圧力を、蓄圧タンク５８に許容される圧力であって、所定圧力である予め決められてＲＯＭに記憶されている上限値と比較するようにしても良い。これにより、蓄圧タンク５８内の圧力が十分であるときに、さらにエネルギ回収を行うことを確実に防ぐことが可能になる。そして、蓄圧タンク５８内の圧力が上限値以下であると判断されると、上記ステップＳ２０１へ進むのが好ましい。
【００４１】
また、上記第一実施形態では、本発明を筒内噴射型式のエンジンに適用して説明したが、これに限定されず、ポート噴射型式のエンジン、ディーゼルエンジン等の各種のエンジンに適用可能である。また、用いられる燃料は、ガソリンに限らず、アルコール燃料、液化天然ガス等でも良い。また、上記第一実施形態では、吸気絞り弁として、スロットルバルブ４４を用いたが、それ以外であっても良い。例えば、吸気絞り弁は、スロットルバルブ４４と並行に設けられ、それを迂回するように吸気通路３２から分岐して、合流する通路を開閉するアイドル制御用のアイドル・スピード・コントロール・バルブ（ＩＳＣＶ）が備えられているエンジンでは、そのＩＳＣＶであり得る。なお、これらの吸気絞り弁は、設けられていなくても良い。
【００４２】
また、排気絞り弁５０は、上記ポペット式バルブに限定するものではなく、バタフライ式バルブ、シャッター式バルブ、軸を基準として弁体が回動して開閉するバルブ等、如何なるバルブであっても良い。そして、排気絞り弁５０を作動させるアクチュエータ５２は、空圧式のアクチュエータに限らず、油圧式あるいは電子制御式のアクチュエータであっても良い。
【００４３】
さらに、制御弁５４は、排気通路４６の圧力が規定圧以上になったときに自動的に開弁する逆止弁であっても良い。
【００４４】
さらに、上記第一実施形態では、蓄圧タンク５８を一つとしたが、複数有するようにしても良い。さらには、複数の蓄圧タンクをエンジンルーム、車体床下等に分割配置しても良い。なお、蓄圧タンク５８には、新気である空気のみならず、排気ガスが一部流入する可能性もあるので、蓄圧タンク５８は排気管４８と同様に耐腐食性に優れる材料から作製されると良い。なお、回収管５６や放出管６２も同様に耐腐食性に優れる材料から作製されると良い。
【００４５】
また、上記吸気バルブ２４および排気バルブ２６を電磁駆動弁とする動弁機構２８を用いたが、それ以外の動弁機構、例えばカムやカムシャフトを有する吸排気バルブ２４、２６の動弁機構を排除するものではない。バルブタイミングやオーバーラップ量を変えるためには、吸気バルブ２４や排気バルブ２６の少なくともいずれかの作用角の位相を可変にする機構であればよい。そのようなものとしては、可変バルブタイミング機構や、可変バルブタイミング−リフト機構がある。そして、ＥＣＵ６４によって制御される油圧等により、吸気バルブ２４や排気バルブ２６の作用角の位相が可変とされるのが好ましい。例えば、カムを複数有していて、そのカムを切り換えることで、吸気バルブ２４や排気バルブ２６の作用角の位相を連続的に変えるものがある。他には、タイミングチェーンにより回動されるカムシャフトに可変タイミングコントローラーを設けて、そのハウジング内の進角室などの油圧を調整することで、吸気バルブ２４や排気バルブ２６の作用角の位相を連続的に変えるものがある。
【００４６】
また、燃料カットをしているときに、エンジン１０に効率よくエンジンブレーキの効果が及ぼされるべく、燃料カット中であるが、エネルギ回収が不可能、あるいは不要のときに、専用のバルブタイミングを設定することとしても良い。
【００４７】
なお、蓄圧タンク５８内に回収されたエネルギとしての圧力は、ＥＣＵ６４からの作動信号により制御弁６０が開弁されることによって利用される。その用途としては、図示しないが、例えばターボチャージャの初期駆動がある。タービンの手前に蓄圧タンク５８内の圧縮空気が噴射されることで、ターボラグが改善されることになる。
【００４８】
ところで、上記第一実施形態では、エネルギ回収に際して回収バルブタイミングを設定し、エンジン回転数が低速回転のとき慣性過給効果を最大限に得られるように吸気バルブ２４を遅開きにするなどし、それが高速回転のときある程度のオーバーラップ量を実現することにより吸入空気量を多くした。しかしながら、本発明では、このような回収バルブタイミングに限定されるものではない。以下に、その他の回収バルブタイミングなどの一例を図に基づいて説明する。
【００４９】
図４に、バルブオーバーラップを零にした場合の回収バルブタイミングの一例を示す。上記第一実施形態では、エンジン回転が高速回転のときにオーバーラップを用いて、吸入空気量を多くするようにしたが、排気通路４６の圧力がある程度以上にまで高くなると、オーバーラップによる吸入空気量増大は有効でなくなる場合がある。例えば、排気通路４６の圧力がそのような程度にまで高い状態で、吸排気バルブ２４、２６を共に開けた状態、すなわちオーバーラップが生じるようにすると、排気通路４６の高圧により排気通路４６側から筒内へ流体が押し戻されて、逆流が生じることになり、結果として排気通路４６の圧力の低下がもたらされる場合がある。それ故、この場合には、図４（ａ）に示すように、吸気バルブの開弁時期を遅らせてバルブオーバーラップは生じないようにして、一旦、排気通路４６に至った流体の逆流を防止することが有効である。なお、エンジン回転が、低速回転である場合にも、このように、オーバーラップが生じないようにするのは有効であり、エネルギ回収において、オーバーラップを零、あるいは負にすることで、排気通路４６から吸気通路３２側への流体の逆流が防止される。これらの結果として排気通路４６の圧力上昇が促進されて、排気絞り弁５０よりも上流側の圧力をより効率よく迅速に高めることが可能になる。なお、図４（ａ）に示す回収バルブタイミングを実現するには、図４（ｂ）に模式的に示すように、吸気バルブ２４の開弁期間全体を通常時よりも回収時には遅らせるのが好ましい。
【００５０】
上記第一実施形態では、吸気バルブ２４の開弁時期を遅らせるなどして、慣性過給効果により吸入空気量を増大させることとした。とはいえ、慣性過給効果にとらわれないならば、一旦、筒内に至った空気が筒内に閉じ込められてこそ、吸入空気量の増大が図れる。そこで、より効果的なタイミングで、吸気バルブ２４が閉じられるのが望ましい。そのためには、エネルギ回収に際して、吸気バルブ２４の閉弁時期を早くすることが有効であり、下死点付近で吸気バルブ２４が閉じられると良い。具体的には、ピストン７０が上昇する前に、換言すると圧縮行程に至る前に吸気バルブ２４が閉じられるのが好ましい。これにより、ピストン７０により、筒内の空気が押されて筒内から吸気通路３２へ至るのを防止することが可能になる。このような回収バルブタイミングを実現するためには、図５に模式的に示されているように、吸排気バルブ２４、２６の動きを制御すると良い。図５において、細線で表したのが吸排気バルブ２４、２６の通常バルブタイミングの一例であり、太線で表したのが吸気バルブ２４における通常バルブタイミングとは異なる回収バルブタイミングの一例である。図５（ａ）、（ｂ）共に、吸気バルブ２４の開弁に伴うリフト量の軌跡は、略台形状であり、エネルギ回収に際して吸気バルブ２４の閉弁時期のみを早めることを表している。なお、図５（ａ）は、吸排気バルブ２４、２６共に、上記第一実施形態の如く、電磁駆動弁である場合に有効な一例であり、図５（ｂ）は、少なくとも吸気バルブ２４が同様に電磁駆動弁である場合の有効な一例である。図５（ａ）、（ｂ）に示したように、吸気バルブ２４の閉弁時期のみを早めることで、吸排気バルブ２４、２６のオーバーラップ量の増加を防ぐことも可能になるが、上述の如く、オーバーラップが生じないようにするとなお好ましい。
【００５１】
ところで、吸気バルブ２４の閉弁時期を早めることは、図５にて示した以外に、リフト量を変えることでも実現可能である。図６に、吸気バルブ２４のリフト量を小さくすることで吸気バルブ２４の閉弁時期を早める回収バルブタイミングの一例を模式的に示している。図６において、細線で表したのが吸排気バルブ２４、２６の通常バルブタイミングの一例であり、太線で表したのが吸気バルブ２４における通常バルブタイミングとは異なる回収バルブタイミングの一例である。図６（ａ）には、吸気バルブ２４のリフト量を小さくすることで、吸気バルブ２４の遅開きならびに早閉じを実現することを表している。このように吸気バルブ２４の小リフト化を図る回収バルブタイミングとすることで、吸気バルブ２４の遅開きもなされて、バルブオーバーラップの低減を図ることも可能になる。また、図６（ｂ）、（ｃ）には、吸気バルブ２４のリフト量を小さくするのみならず、吸気バルブの開弁期間を早めたバルブタイミングの一例が模式的に表されている。これら図６（ａ）から（ｃ）に示した回収バルブタイミングは、上記第一実施形態の如く、少なくとも吸気バルブ２４が電磁駆動弁である場合に有効であり、図６（ｂ）に示した回収バルブタイミングは、吸排気バルブ２４、２６共に電磁駆動弁である場合に有効である。なお、以上のように吸気バルブ２４を早閉じにすべく、リフト量を小さくしても、主として低負荷運転時であれば、十分な吸入空気量を実現できる。したがって、排気絞り弁５０よりも上流側の排気通路４６の圧力上昇を促進することが可能になる。
【００５２】
また、図７には、吸気バルブ２４および排気バルブ２６のリフト量を共に大きくして、吸入空気量を多くする回収バルブタイミングが模式的に示されている。なお、図７において、細線で表したバルブタイミングは通常バルブタイミングであり、太線で表したのが通常バルブタイミングとは異なる回収バルブタイミングである。このバルブタイミングでは、吸気バルブ２４および排気バルブ２６のリフト量を共に大きくしつつ、排気バルブ２６の開弁期間は進められ、且つ吸気バルブ２４の開弁期間は遅らされるので、オーバーラップ量は変わらず、大きくなることはない。このようにすることで、排気絞り弁５０よりも上流側の排気通路４６の圧力上昇を促進することが可能である。なお、上述の如く、オーバーラップは生じないのが好ましい。ただし、図７に示した回収バルブタイミングは、リフト量とバルブタイミングとの両方を可変させるので、吸排気バルブ２４、２６共に電磁駆動弁である場合に有効である。
【００５３】
次に、本発明の第二実施形態について説明する。本発明の第二実施形態では、上記第一実施形態やその回収バルブタイミングの変形例とは異なり、エンジンの幾何学的圧縮比そのものを代えて、吸気通路４６の圧力上昇を促進することにしている。すなわち、本第二実施形態では、圧力上昇促進手段として、エンジンの幾何学的圧縮比を変更可能な可変圧縮比機構を備え、エネルギ回収をしていないときの幾何学的圧縮比よりも、エネルギ回収を行うとき幾何学的圧縮比を高くすることにしている。これを以下に図８から図１０に基づいて説明するが、上記第一実施形態のエンジンシステムの構成要素と同じものに関しては同一の符号を用いて説明を省略する。
【００５４】
図８は、第二実施形態のエンジンシステムの概念図であり、図９は、図８のエンジンシステムにおいて、圧縮比（幾何学的圧縮比）を変更可能とするエンジン（以下、圧縮比可変エンジンと称する。）１１０の機構の構成を示す図であり、図１０は、圧縮比が変更される推移を概略的に示す図である。可変圧縮比エンジン１１０は、気筒を有するシリンダブロック１１２を、ピストン７０が連結されたクランクケース１１４に対して気筒の軸方向に移動させることによって圧縮比を変更するものである。なお、圧縮比可変エンジン１１０の圧縮比を可変とする機構は、本出願人が出願人である特開２００５−６９１７９号公報にて開示されていて、この圧縮比可変エンジン１１０の概略を述べると、シリンダブロックの一部とクランクケースの一部との嵌合部に形成され、該嵌合部において該シリンダブロックと該クランクケースとの間に気筒の軸線方向に沿った隙間を設けることにより、該シリンダブロックと該クランクケースとの相対移動を該軸線方向に導くガイド部と、このガイド部にしたがって、前記シリンダブロックと前記クランクケースとを相対移動させてエンジン（内燃機関）の圧縮比を変更する圧縮比制御手段と、を有するエンジンである。
【００５５】
図９に示されるように、シリンダブロック１１２の両側下部に複数の隆起部１１６が形成されており、この各隆起部１１６にカム収納孔１１８が形成されている。カム収納孔１１８は、円形をしており、気筒の軸方向に対して直角に、かつ複数の気筒の配列方向に平行になるようにそれぞれ形成されている。片側の複数のカム収納孔１１８はすべて同一軸線上に位置している。そして、シリンダブロック１１２の両側のカム収納孔１１８の一対の軸線は平行である。
【００５６】
クランクケース１１４には、上述したカム収納孔１１８が形成された複数の隆起部１１６の間に位置するように、立壁部１２０が形成されている。各立壁部１２０のクランクケース１１４外側に向けられた表面には、半円形の凹部が形成されている。また、各立壁部１２０には、ボルト１２２によって取り付けられるキャップ１２４が用意されており、キャップ１２４も半円形の凹部を有している。また、各立壁部１２０にキャップ１２４を取り付けると、円形の軸受収納孔１２６が形成される。軸受収納孔１２６の形状は、上述したカム収納孔１１８と同一である。
【００５７】
複数の軸受収納孔１２６は、カム収納孔１１８と同様に、シリンダブロック１１２をクランクケース１１４に取り付けたときに気筒の軸方向に対して直角に、且つ、複数の気筒の配列方向に平行になるようにそれぞれ形成されている。これらの複数の軸受収納孔１２６も、シリンダブロック１１２の両側に形成されることとなり、片側の複数の軸受収納孔１２６はすべて同一軸線上に位置している。そして、シリンダブロック１１２の両側の軸受収納孔１２６の一対の軸線は平行である。また、両側のカム収納孔１１８の間の距離と、両側の軸受収納孔１２６との間の距離は同一である。
【００５８】
交互に配置される二列のカム収納孔１１８と軸受収納孔１２６には、それぞれ制御軸１２８が挿通される。制御軸１２８は、図９に示されるように、軸部１２８ａと、軸部１２８ａの中心軸に対して偏心された状態で軸部１２８ａに固定された正円形のカムプロフィールを有するカム部１２８ｂと、カム部１２８ｂと同一外形を有し軸部１２８ａに対して回転可能に取り付けられた可動軸受部１２８ｃとが交互に配置されている。この可動軸受部１２８ｃには、軸収納孔１２８ｅが設けられており、その中を制御軸１２８の軸部１２８ａが挿通される構成をとることにより、可動軸受部１２８ｃは軸部１２８ａに対して回動可能となっている。そして、これら一対の制御軸１２８は鏡像の関係を有している。また、制御軸１２８の端部には、後述するウォームホイール１３０の取り付け部１２８ｄが形成されている。軸部１２８ａの中心軸と取り付け部１２８ｄの中心とは偏心しており、カム部１２８ｂの中心と取り付け部１２８ｄの中心とは一致している。
【００５９】
可動軸受部１２８ｃも、軸部１２８ａに対して偏心されておりその偏心量はカム部１２８ｂと同一である。また、各制御軸１２８において、複数のカム部１２８ｂの偏心方向は同一である。また、可動軸受部１２８ｃの外形は、カム部１２８ｂと同一正円であるので、可動軸受部１２８ｃを回転させることで、複数のカム部１２８ｂの外表面と複数の可動軸受部１２８ｃの外側面とを一致させることができる。
【００６０】
各制御軸１２８の軸部１２８ａの一端にはウォームホイール１３０が取り付けられている。一対の制御軸１２８の端部に固定された一対のウォームホイール１３０には、それぞれをウォームギア１３２ａ、１３２ｂがかみ合っている。ウォームギア１３２ａ、１３２ｂはモータ１３４の一本の出力軸にとりつけられている。ウォームギア１３２ａ、１３２ｂは、互いに逆方向に回転する螺旋溝を有している。このため、モータ１３４を回転させると、一対の制御軸１２８は、ウォームホイール１３０を介して逆方向に回転する。モータ１３４は、シリンダブロック１１２に固定されており、シリンダブロック１１２と一体的に移動する。
【００６１】
次に、上述した構成の可変圧縮比エンジン１１０において圧縮比を制御する方法について、図１０に基づいて説明する。図１０（ａ）から図１０(ｃ)にシリンダブロック１１２と、クランクケース１１４と、これら両者の間に構築された制御軸１２８との関係を示した断面図を示す。図１０(ａ)から図１０(ｃ)において、軸部１２８ａの中心軸をａ、カム部１２８ｂの中心をｂ、可動軸受部１２８ｃの中心をｃとして示す。図１０（ａ）は、軸部１２８ａの延長線上から見て全てのカム部１２８ｂおよび可動軸受部１２８ｃの外周が一致した状態である。このとき、ここでは一対の軸部１２８ａは、カム収納孔１１８および軸受収納孔１２６の中で外側に位置している。
【００６２】
図１０(ａ)の状態から、モータ１３４を駆動して軸部１２８ａを矢印方向に回転させると、図１０(ｂ)の状態となる。このとき、軸部１２８ａに対して、カム部１２８ｂと可動軸受部１２８ｃの偏心方向にずれが生じるので、クランクケース１１４に対してシリンダブロック１１２を上死点側にスライドさせることができる。そして、そのスライド量は図１０(ｃ)のような状態となるまで制御軸１２８を回転させたときが最大となり、カム部１２８ｂや可動軸受部１２８ｃの偏心量の２倍となる。カム部１２９ｂおよび可動軸受部１２８ｃは、それぞれカム収納孔１１８および軸受収納孔１２６の内部で回転し、それぞれカム収納孔１１８および軸受収納孔１２６の内部で軸部１２８ａの位置が移動するのを許容している。
【００６３】
上述したような機構を用いることによって、シリンダブロック１１２をクランクケース１１４に対して、気筒の軸線方向に相対移動させることが可能となり、その結果、可変圧縮比エンジン１１０の燃焼室１４の容積が変更され、以て圧縮比を可変制御することができる。
【００６４】
図８を参照して、可変圧縮比エンジン１１０は、クランク軸７６に連結され、気筒内を往復運動するピストン７０を備える。なお、図８において、記載を簡便とするため、図９に示した制御軸１２８やウォームホイール１３０の記載はウォームギア１３２ａが備えられている片側のみとし、残りのウォームギア１３２ｂ側の制御軸１２８等の記載は省略されている。
【００６５】
本第二実施形態における可変圧縮比エンジン１１０は、モータ１３４の駆動により、シリンダブロック１１２がクランクケース１１４に対して、気筒の軸線方向に相対移動することで、圧縮比が変更される。ここで、シリンダブロック１１２のクランクケース１１４側の一端であるシリンダブロック側ガイド部１１２ａと、クランクケース１１４のシリンダブロック側の一端であるクランクケース側ガイド部１１４ａとが、隙間嵌め状態となっている。そのため、シリンダブロック１１２のクランクケース１１４に対する相対移動は、シリンダブロック側ガイド部１１２ａとクランクケース側ガイド部１１４ａによって拘束され、その結果、相対移動の方向は気筒の軸線方向となる。
【００６６】
このような構成の圧縮比可変エンジンを備えたエンジンシステムにおける、第二実施形態におけるエネルギ回収のための制御は、上記第一実施形態における制御とほぼ同じである。そこで、相違点のみを記して、他の制御に関する説明を省略する。本第二実施形態では、上記第一実施形態の制御フローチャート（図２参照）で回収バルブタイミングが設定（ステップＳ２０９）されて、次に通常バルブタイミングが設定（ステップＳ２１９）されるまで、回収バルブタイミングの設定および実行に代えて、圧縮比可変エンジン１１０の幾何学的圧縮比を高く変更することが相違する。これにより、エネルギ回収に際しては、排気通路４６への流体の送出圧力が大きくなり、排気絞り弁５０よりも上流側の排気通路４６の圧力上昇を促進させることが可能になる。
【００６７】
上記第二実施形態のように、エネルギ回収に際して、その最初から終わりまで幾何学的圧縮比を高く変更することとしても良いが、例えばエネルギ回収を始めた当初は、より多くの流体を排気通路４６に送出するように、図１０（ｃ）に示すように、燃焼室１４の容積を増大させることにしても良い。これに対して、排気絞り弁５０よりも上流側の排気通路４６の圧力がある程度まで高くなってくると、流体を筒内から排気通路４６に押し出すのにより多くの力が必要となるので、このときは、図１０（ａ）に示すように幾何学的圧縮比を高く変更して、高い圧縮力で排気通路４６に流体を押し流すこととすると良い。このように幾何学的圧縮比を切り替え制御する場合には、エネルギ回収をしていない通常の運転時において、幾何学的圧縮比を図１０（ｂ）のようにしておき、エネルギ回収に際しては、図１０（ａ）、（ｃ）のいずれかにその時々の要求に応じて、幾何学的圧縮比を変えるのが望ましい。
【００６８】
ところで、上記圧縮比可変エンジン１１０では、シリンダブロック１１２とクランクケース１１４との相対移動をその軸線方向に導くガイド部１１２ａ、１１４ａにしたがって、シリンダブロック１１２とクランクケース１１４とを相対移動させて内燃機関の圧縮比を変更するようにしているが、ここにおける隙間が大きいとシリンダブロック１１２に振動が発生する虞があり、好ましくない。そこで、シリンダブロック１１２とクランクケース１１４との相対移動が円滑に行われることを確保しつつも、より安定的にシリンダブロック１１２を固定するべく、本第二実施形態では、ＥＣＵ６４を含む圧縮比制御手段によるエンジンの圧縮比の変更動作に基づいて、ガイド部１１２ａ、１１４ａにおけるシリンダブロック１１２とクランクケース１１４との隙間距離、またはガイド部１１２ａ、１１４ａにおけるシリンダブロック１１２とクランクケース１１４との間の作用力を制御する安定化手段を備えている。
【００６９】
具体的には、第二実施形態の安定化手段としては、隙間嵌め状態にあるシリンダブロック側ガイド部１１２ａとクランクケース側ガイド部１１４ａとの間の隙間（以下、「ガイド部隙間」と称する。）に、圧電素子から構成され、該圧電素子に印加される電圧によって、形状が変化する圧電変形部材１３６が設けられている。圧電変形部材１３６は、バッテリ１３８から電圧が印加されることによって、その形状がガイド部隙間における気筒の径方向に収縮するように変化する。
【００７０】
したがって、バッテリ１３８から電圧が印加されていないときは、圧電変形部材１３６はクランクケース側ガイド部１１４ａとシリンダブロック側ガイド部１１２ａの両側に接触し、その結果両ガイド部１１２ａ、１１４ａに対して押圧力がかかり、クランクケース１１４に対してシリンダブロック１１２が固定されている。一方で、バッテリ１３８から電圧が印加されると、圧電変形部材１３６は収縮変形し、クランクケース側ガイド部１１４ａにのみ接触し、クランクケース１１４に対してシリンダブロック１１２は気筒の軸線方向に自在に相対移動が可能となる。
【００７１】
なお、上記の如き安定化手段に、安定化手段は制限されない。例えば、前述した可変圧縮比エンジン１１０において、クランクケース１１４に固定され且つガイド部１１２ａ、１１４ａにおけるシリンダブロック１１２とクランクケース１１４との隙間距離もしくはガイド部１１２ａ、１１４ａのシリンダブロック１１２の一部に対して作用する押圧力を制御する油圧シリンダ、またはシリンダブロック１１２に固定され且つガイド部１１２ａ、１１４ａにおけるシリンダブロック１１２とクランクケース１１４との隙間距離もしくはガイド部１１２ａ、１１４ａのクランクケース１１４の一部に対して作用する押圧力を制御する油圧シリンダを、備えるようにしても良い。そして、安定化手段は、圧縮比制御手段によるエンジン１１０の圧縮比の変更動作に基づいて、油圧シリンダに供給する潤滑油の油圧を制御することで、ガイド部１１２ａ、１１４ａにおけるシリンダブロック１１２とクランクケース１１４との隙間距離、またはガイド部１１２ａ、１１４ａにおけるシリンダブロック１１２とクランクケース１１４との間の作用力を制御するのが望ましい。なお、油圧シリンダへの潤滑油の供給は、クランク軸７６に連結され、エンジンの出力を動力源としてオイルパンに貯留されている潤滑油を圧送するポンプによって行われると良い。
【００７２】
あるいは、可変圧縮比エンジンにおいて、ガイド部１１２ａ、１１４ａにおけるシリンダブロック１１２とクランクケース１１４との間の隙間に、弾性変形部材を設けるようにしても良い。これにより、シリンダブロック１１２とクランクケース１１４とが近接する方向に相対移動をするときに、ガイド部１１２ａ、１１４ａにおけるシリンダブロック１１２とクランクケース１１４との間の隙間に設けられた弾性変形部材が、シリンダブロック１１２およびクランクケース１１４によって押しつぶされ、圧縮変形する。その結果、圧縮変形した弾性変形部材の弾性エネルギによって、シリンダブロック１１２およびクランクケース１１４に対して押圧力が発生し、シリンダブロック１１２とクランクケース１１４との連結力が増大することになる。
【００７３】
以上、本発明を上記第一および第二実施形態に基づいて説明したが、本発明はこれらに限定されない。例えば、第一実施形態およびその変形例で示したようにバルブタイミングやリフト量を変えつつ、第二実施形態およびその変形例で示したように幾何学的圧縮比をも変えることを本発明は含むものである。
【００７４】
以上のようにして、エネルギ回収に際して排気通路４６の圧力が高圧にされると、これに対応して蓄圧タンク５８内の圧力も高めることが可能になる。したがって、そのように蓄えられたエネルギの用途が拡大することになる。
【００７５】
なお、上記の如くして排気通路４６の圧力が上昇すると、筒内から排気通路に流体を流すのにより大きな力が要るので、いわゆる排気ブレーキの利きがよくなる。したがって、ブレーキの使用頻度やブレーキにかかる負荷を低減することも可能になる。
【図面の簡単な説明】
【００７６】
【図１】第一実施形態におけるエンジンシステムの概念図である。
【図２】第一実施形態の制御フローチャートである。
【図３】第一実施形態の回収バルブタイミングの一例を表した図である。
【図４】回収バルブタイミングの他の一例を表した図である。
【図５】回収バルブタイミングの他の一例を表した図である。
【図６】回収バルブタイミングの他の一例を表した図である。
【図７】回収バルブタイミングの他の一例を表した図である。
【図８】第二実施形態のエンジンシステムの概念図である。
【図９】図８のエンジンシステムにおける、幾何学的圧縮比を変更可能とするエンジンの機構の構成を示す図である。
【図１０】第二実施形態のエンジンで圧縮比が変更される推移を概略的に示す図である。
【符号の説明】
【００７７】
１０  エンジン
１２  燃料噴射弁
１４  燃焼室
１６  点火プラグ
１８  吸気ポート
２０  排気ポート
２２  シリンダヘッド
２４  吸気バルブ
２６  排気バルブ
２８  動弁機構
３０  イグナイタ
３２  吸気通路
３４  吸気管
３６  エアクリーナ
３８  サージタンク
４０  アクセルペダル
４２  スロットルアクチュエータ
４４  スロットルバルブ
４６  排気通路
４８  排気管
５０  排気絞り弁
５０ａ  弁体
５０ｂ  弁座
５２  アクチュエータ
５４  逆止弁
５６  回収管
５８  蓄圧タンク
６０  制御弁
６２  放出管
６４  ＥＣＵ
６６  吸気圧センサ
６８  アクセルポジションセンサ
６９  スロットルポジションセンサ
７０  ピストン
７２  シリンダブロック
７４  連接棒
７６  クランク軸
７８  クランクポジションセンサ
８０  圧力センサ
８２  圧力センサ
８４  ブレーキペダル
８６  ストップランプスイッチ
８８  車速センサ
１１０  圧縮比可変エンジン
１１２  シリンダブロック１１２
１１４  クランクケース
１１６  隆起部
１１８  カム収納孔
１２０  立壁部
１２２  ボルト
１２４  キャップ
１２６  軸受収納孔
１２８  制御軸
１２８ａ  軸部
１２８ｂ  カム部
１２８ｃ  可動軸受部
１２８ｄ  取り付け部
１３０  ウォームホイール
１３２ａ、１３２ｂ  ウォームギア
１３４  モータ
１３６  圧電変形部材
１３８  バッテリ
【図１】
0004539538.tif 000002
【図２】
0004539538.tif 000003
【図３】
0004539538.tif 000004
【図４】
0004539538.tif 000005
【図５】
0004539538.tif 000006
【図６】
0004539538.tif 000007
【図７】
0004539538.tif 000008
【図８】
0004539538.tif 000009
【図９】
0004539538.tif 000010
【図１０】
0004539538.tif 000011